(57)【要約】【課題】移動端末の電池残量が低下した場合の緊急時の発信に備え、移動端末の待ち受け時間の延長を行なった上で発信者の利便性を向上させる。【解決手段】電源オフ設定時に移動端末に設定した電池維持目標日時と電池残量より次に電源オンにする電源復帰時間を電源オフ設定の情報と併せ移動通信制御局に通知し、移動通信制御局は電源オフ中の電源オフ中の移動端末宛着信情報を保持すると共に、発信移動端末に電源オフ状態であることをアナウンスする。【選択図】図２
2009239448.tif 000002
【特許請求の範囲】
【請求項１】
消費電力に関する設定を行った第１の移動端末と前記第１の移動端末と通信を行う第２の移動端末間の通信を制御する通信制御装置を備えた移動通信ネットワークシステムであって、
前記通信制御装置は、
前記第１の移動端末の識別情報と電源状態と前記第１の移動端末への着信情報とを保持する保持手段と、
前記第２の移動端末へのアナウンス手段と、を備え、
前記第１の移動端末は、
電源オフ状態となる時に次に電源をオンにする電源復帰時間を前記通信制御装置に通知する手段を備え、
前記通信制御装置は、前記第１の移動端末の識別情報と共に電源オフであることを保持し、前記第１の移動端末の電源オフ中に前記第１の移動端末宛に通信を行なった第２の移動端末にアナウンスを行なうことを特徴とする移動通信ネットワークシステム。
【請求項２】
前記通信制御装置は、前記第１の移動端末が電源オンに復帰した場合、前記第２の移動端末に前記第１の移動端末との通話が可能であることを通知することを特徴とする請求項１記載の移動通信ネットワークシステム。
【請求項３】
前記第１の移動端末の電源が電源オンに復帰した場合、前記第１の移動端末に電源オフ中に受信した情報を通知することを特徴とする請求項１記載の移動通信ネットワークシステム。
【請求項４】
消費電力に関する設定が可能な移動端末であって、
前記移動端末は、
電池容量を維持したい電池維持目標日時と電源オンの周期と通信に必要な最低時間の最低電源オン維持時間とを設定する手段と、
前記電池維持目標日時までの残電池容量を算出し電池維持目標時間を算出する手段と、
前記算出した電池維持目標時間と前記電源オン周期に基づいて電源をオンにする電源オン維持時間を算出する手段と、
を備えることを特徴とする移動端末。
【請求項５】
消費電力に関する設定が可能な移動端末の通信制御方法であって、
電池容量を維持したい電池維持目標日時と電源オンの周期と通信に必要な最低時間の最低電源オン維持時間との設定を行うステップと、
前記電池維持目標日時までの残電池容量を算出し電池維持目標時間を算出するステップと、
前記算出した電池維持目標時間と前記電源オン周期より電源をオンにする電源オン維持時間を算出するステップと、
を実現させることを特徴とする移動端末の通信制御方法。
【発明の詳細な説明】
【技術分野】
【０００１】
本発明は、移動端末の待ち受け時間引き延ばしに係わり、特に、移動端末の電池維持目標日時まで省電力設定により待ち受け時間の引き延ばしと省電力設定中における着信情報の処理を行なう移動通信システムと移動端末及びその通信制御方法に関するものである。
【背景技術】
【０００２】
移動体通信システムでは移動端末の位置把握等において基地局と移動端末間で通信を行っており移動端末の電池が消費される。特に圏外や高速移動を行なう場合に移動端末が電源オンの状態では電池が著しく消耗する。このため、移動端末が充電できない環境下では、通信が必要な時に電池切れとなり通信できない可能性がある。一方、電池節約のため電源オフにすると、その間の着信ができず、発信者は圏外か電源オフであることしか分からない。
【０００３】
図１３は移動端末の電池容量と電源状態の関係を示す図である。１）に電源状態、２）に電源状態に対応した電池容量変化を示している。電池容量（電圧で表示）は時間の経過に伴い順次低下し、電圧が所定の閾値以下となると、移動端末に警告表示し、ユーザに電源オフを促す、あるいは自動電源オフ機能が動作する。
【０００４】
低消費電力化を実現する方法として、無線回路が動作する通常の待ち受け状態と、待ち受けを休止し通常駆動モードへの復帰のための起動用トリガ信号の検知回路のみが動作している省電力駆動モードとを周期的に繰り返す技術が特許文献１に示されている。
【特許文献１】特開２００６−３３０２１号公報
【発明の開示】
【発明が解決しようとする課題】
【０００５】
移動端末の電池消費を節約するため、例えば、液晶ディスプレイの輝度レベルを低下させる等により待ち受け時間の引き延ばしを行うことができる。しかしながら、電池容量は低下していくため、緊急時に通話ができないことがある。また、手動あるいは自動電源オン／オフ機能により、必要に応じて電源オン／オフする方法があるが、電源オフ中は着信が不可能である。この対策として、留守番電話により発信者にメッセージを通知する方法がある。しかしながら、着信者が留守番電話サービスに加入していないと、発信者はメッセージを伝える手段がなく、また、メールで通知しても受信されるとは限らない。
【０００６】
本発明は、待ち受け時間を引き延ばして電池容量を確保して緊急時の通信を可能とし、さらに発信者側の利便性を向上させることを目的とする。
【課題を解決するための手段】
【０００７】
本発明は、消費電力に関する設定を行った第１の移動端末と前記第１の移動端末と通信を行う第２の移動端末間の通信を制御する通信制御装置を備えた移動通信ネットワークシステムである。
【０００８】
前記通信制御装置は、前記第１の移動端末の識別情報と電源状態と前記第１の移動端末への着信情報とを保持する保持手段と、前記第２の移動端末へのアナウンス手段と、を備える。一方、前記第１の移動端末は、電源オフ状態となる時に次に電源をオンにする電源復帰時間を前記通信制御装置に通知する手段を備える。
【０００９】
この構成により、移動通信ネットワークシステムの通信前記通信制御装置は、前記第１の移動端末の識別情報と共に電源オフであることを保持し、前記第１の移動端末の電源オフ中に前記第１の移動端末宛に通信を行なった第２の移動端末にアナウンスを行なう。
【００１０】
さらに、前記通信制御装置は、前記第１の移動端末が電源オンに復帰した場合、前記第２の移動端末に前記第１の移動端末との通話が可能であることを通知し、前記題１の移動端末には電源オフ中に受信した情報を通知する。
【００１１】
本発明の移動端末は、電池容量を維持したい電池維持目標日時と電源オンの周期と通信に必要な最低時間の最低電源オン維持時間とを設定する手段と、前記電池維持目標日時までの残電池容量を算出し電池維持目標時間を算出する手段と、前記算出した電池維持目標時間と前記電源オン周期に基づいて電源をオンにする電源オン維持時間を算出する手段と、を備える。
【００１２】
さらに本発明の移動端末の制御方法である。
【００１３】
電池容量を維持したい電池維持目標日時と電源オンの周期と通信に必要な最低時間の最低電源オン維持時間との設定を行うステップと、前記電池維持目標日時までの残電池容量を算出し電池維持目標時間を算出するステップと、前記算出した電池維持目標時間と前記電源オン周期より電源をオンにする電源オン維持時間を算出するステップと、を実現させる。
【発明の効果】
【００１４】
本発明により、ユーザが指定する電池維持目標時間内での移動端末の省電力を実現し、緊急時の通信を確保でき、また、省電力設定され電源がオフ状態にある移動端末宛に通信を行なった発信移動端末は発信先移動端末の電源がオフであることを知ることをできる。
【００１５】
また、移動端末は電池維持目標時間までの間に電源をオンにする電源オン時間を確保しながら、目標の電池維持日時まで電池容量保持し、待ち受け時間を延長することができる。
【発明を実施するための最良の形態】
【００１６】
（実施例１）
図１は移動端末のブロック構成を示す図である。
【００１７】
移動端末１は、主回路部２、アンテナ３、送話機４、受話機５、表示器６、ＬＥＤランプ７、入力キー８、時計９、電池（バッテリー）１０、電源制御部１１で構成される。主回路２は送受信部１２、音声信号処理部１３、制御部１４で構成される。さらに、制御部１４は、省電力制御部１５、電池残容量測定部１６で構成される。各ブロックの基本機能は、一般的な移動端末の機能と同一である。移動端末の一般的な動作に係わるブロックの説明は省略し、本発明に係わる制御部１４を中心に説明する。
１）省電力制御部１５
省電力を実現するための省電力モードに係わる次の制御を電源制御部１１と連携して行なう
ア.省電力モードの動作設定制御
イ.省電力モード画面表示及び画面切替制御
ウ.省電力モード中における電源オン／オフの間欠動作制御
省電力モード、電源オン／オフの間欠動作については後述する。
２）電池残容量測定部１６
移動端末１の電池の残容量を所定周期で測定し、残容量が後述する切替警告時期で設定した容量以下となった場合、省電力制御部１５に計測結果の通知を行う。
【００１８】
電池容量の測定は電池の電圧から残容量を予測して算出する方法が知られているので説明は省略する。
３）電源制御部１１
通常の電源オン／オフ制御に加え以下の制御を行なう。
ア．省電力モードに係わる電源オン／オフ制御
移動端末の主な電力消費部である主回路部２の電源の切替制御により電池の消耗を防ぐ。
イ.移動端末が省電力モードから通常モードに復帰する電源復帰日時の記憶
ウ.省電力モードの移動端末の電源復帰日時での電源オフから電源オンへの切替制御
移動端末の待ち受け時間延長および省電力動作中での着信者へのメッセージ通知に必要となる事項について説明する。
１）端末電力状態情報
移動端末の電源状態を示す情報である。電源オンの通常モード、及び省電力モードがある。
ア．通常モード
電源オンの状態である。
イ．省電力モード：
省電力に設定した場合に移動端末は電源オン／電源オフを繰り返す。このため、電源オン状態と電源オフ状態の２つがある。
電源オン状態：省電モードでの電源オン状態であり、通話可能である。通常モードの電源オン状態と同一の動作となる。
ウ．省電力モード／電源オフ状態
省電力モードでの電源オフ状態であり、通話はできない。
２）端末省電力状態情報
移動端末の省電力モード中での電源状態に関係する時間項目として以下を設定する。
ア．最大待ち受け時間（Ｈｍａｘ）
移動端末の電池容量が満杯時の待ち受け可能時間である。移動端末一般の待ち受け可能な時間と同一である。
イ．待ち受け可能予測時間（Ｈａ）
対象の時点での移動端末の待ち受け可能な時間であり、電池容量を算出して電池残量Ｒ（百分率％）よりＨａ＝Ｈｍａｘ×Ｒより算出する。
ウ．電池維持目標時間（Ｈｂ）
現在日時から電池容量を維持したい電池維持目標日時までの時間である。
エ.最低電源オン維持時間（Ｈｍｉｎ）
省電力状態での、電源オン状態を維持する最小時間である。これは、省電力中におけるメール受信や着信のために確保する電源オンの時間である。予め移動端末の省電力制御部で定義し設定する。
オ．電源オン・オフ周期（Ｈｃｙｃ）
省電力モードでの電源オン時間と電源オフ時間の繰り返し周期である。初期値とその変化量（ΔＨｃｙｃ）は予め省電力制御部に設定する。
カ．端末電源オン維持時間（Ｈオン）
省電力モード中に電源オンになってから、次に電源オフするまで時間である。
Ｈオン＝（Ｈａ／Ｈｂ）×Ｈｃｙｃ
キ.端末電源オフ維持時間（Ｈオフ）
省電力モード中の電源オフ状態になってから、次に電源オンするまでの時間である。
Ｈオフ＝Ｈｃｙｃ−Ｈオン
３）端末省電力状態変化情報
２）で述べた移動端末の省電力モードでの時間に係わる項目を基に移動端末は省電力モード中に移動通信制御局に登録する情報である。以下がある。
ア．電源モード
電源モードとして「通常モード」、「省電力モード電源オン」、「省電力モード電源オフ」、のいずれかを通知する。
イ．端末復帰予定日時
端末省電力状態が省電力モードで電源オフの場合に設定され、次の移動端末が電源オンになる予定時刻を表している。現在時刻+端末電源オフ維持時間で算出する。
４）加入者プロファイル
移動端末ユーザのプロファイルとして以下の情報をＶＬＲ（Ｖｉｓｉｔｏｒ  Ｌｏｃａｔｉｏｎ  Ｒｅｇｉｓｔｅｒ）に保持する。ＶＬＲはすべての移動端末のユーザ登録情報や、現在位置を覚えているデータベース(メモリ)である。
ア.端末省電力状態情報
省電力モード設定された移動端末の電源状態の情報である。
イ.端末電源復帰予定情報
省電力モードに設定した移動端末が通常モードに復帰する予定の日時である。省電力モードの設定時に登録する。
ウ.移動端末の省電力中の着信情報
省電力モードに設定中の移動端末に着信した通信（発信者）の情報である。
【００１９】
図２は省電力モードに設定された移動端末を有する移動体通信システムの通信処理基本手順を示す図である。省電力モード設定の移動端末との通信の基本手順を移動体通信ネットワークの各装置の処理機能と併せて示している。
【００２０】
移動体通信ネットワーク２０はＨＬＲ（Ｈｏｍｅ  Ｌｏｃａｔｉｏｎ  Ｒｅｇｉｓｔｅｒ）２１、ＶＬＲ２２−１、ＶＬＲ２２−２、移動体移動通信制御局２３−１、移動通信制御局２３−２、基地局２４−１、基地局２４−２で接続されている。この通信ネットワークで省電力モードに設定した移動端末Ａ２５−１と移動端末Ｂ２５−２の間の通信手順を以下に示す。ここで、移動端末Ａ２５−１は基地局２４−１の制御下にあり、移動端末Ｂ２５−２は基地局２４−２の制御下にあるとする。
【００２１】
なお、ＶＬＲは、加入者交換機が自分の属する位置登録エリアにいる移動端末を管理するためのデータベース(メモリ)である。
【００２２】
Ｓ１：移動端末Ａ２５−１は省電力モードに切替る。
省電力モードへの切替は以下の時点で行なわれる。
ア．移動端末ユーザが省電力モード切替設定画面を表示し、切替設定を行なった時
イ．電池の残容量が予め設定した所定値以下になり、移動端末が切替警告を行ない移動端末ユーザが切替設定を行なった時
Ｓ２：移動端末Ａ２５−１は基地局２４−１に省電力モードへの切替を知らせるために「端末省電力状態変化情報」を通知する。
Ｓ３：移動端末Ｂ２５−２は省電力モード設定期間中の移動端末Ａ２５−１に発信する。移動制御局２３−２は移動通信制御局２３−１に着信情報の問い合わせを行なう。
Ｓ４：移動通信制御局２３−１はＶＬＲ２２−１から移動端末Ａの加入者プロファイル情報を取得し、移動端末Ａが省電力モードの電源オフ状態であれば、ＶＬＲ２２−１に着信履歴情報を登録する。
【００２３】
その後、移動通信制御局２３−１は、移動通信制御局２３−２に着信情報問合せ応答を行う。着信情報問合せ応答は端末電力状態情報、端末電源復帰予定情報のパラメータを設定して行う。
Ｓ５：移動通信制御局２３−２は着信情報問合せ応答の端末電力状態情報を参照し、接続先の移動端末Ａが省電力モード設定で電源オフ状態の場合、移動端末Ｂに対し、省電力中であることのアナウンスを行なう。
Ｓ６：移動端末Ａはが省電力モード設定の電源復帰時間となり、移動端末Ａの電源が自動復帰し、電源オンとなる。
Ｓ７：移動端末Ａは移動通信制御局２３−１に電源復帰の端末省電力状態変化情報を通知する。
Ｓ８：移動通信制御局２３−１は移動端末Ａの省電力着信履歴の登録を確認後、移動通信制御局２３−２を介して移動端末Ｂに移動端末Ａが通話可能である通話可能通知を行なう。通知は、例えばメールで行なうことができる。
Ｓ９：移動通信制御局２３−１は移動端末Ａに省電力モード中の着信履歴を例えば、メールで通知する。
Ｓ１０：電源オフの前に電源オン維持時間、電源オフ維持時間を算出し、移動通信制御局２３−１に通知する。これは電池の消費電力は基地局からの距離により異なるためである。
【００２４】
図３は着信側移動通信制御局の着信履歴登録手順を示す図である。
Ｓ１１：着信側移動通信制御局はＶＬＲにアクセスし、該当の移動端末の省電力モード、電源オフ中に着信のあったユーザの下記情報を取得する。
ア．移動端末省電力モード及び電源状態
イ．移動端末の省電力中の着信履歴件数
Ｓ１２：省電力状態の移動端末の電源がオフか確認し、電源オフの場合はＳ１３に進み、そうでない場合はＳ１５に進み通常のページング処理を行なう。
Ｓ１３：ＶＬＲに省電力中の着信履歴件数を着信中の着信履歴に追加登録する。
ア．省電力中の着信履歴件数
イ．省電力中の着信情報
Ｓ１４：発信側移動通信制御局に対し、着信情報問い合わせに対する応答を行なう。
Ｓ１５：通常のページング処理を行なう。
【００２５】
図４は発信側移動通信制御局のアナウンス処理手順の一例を示す図である。
Ｓ１６：発信側移動通信制御局は発信情報を受信すると、ＶＬＲにアクセスし、接続先移動端末が省電力モードで電源オフ状態か確認する。
Ｓ１７：省電力モードで電源オフの場合はＳ１８に進み、そうでない場合はＳ１９に進み通常の回線処理を行なう。
Ｓ１８：アナウンスマシンを起動し、発信移動端末に送信する。
Ｓ１９：通常の回線接続処理を行なう。
【００２６】
図５は着信側移動端末の電源復帰を通知する一例である。
Ｓ２０：省電力モード中の着信側移動端末より電源オン復帰の情報を受信すると、着信側移動通信制御局は電源オン状態確認後、ＶＬＲにアクセスし省電力モード中の着信履歴情報を取得する。
Ｓ２１：着信履歴情報があるか確認し、ある場合はＳ２２に進み、そうでない場合は終了する。
Ｓ２２：各着信履歴にある発信者毎にメール情報（ＳＭＴＰパケット）を編集する。
Ｓ２３：各着信履歴の発信者毎に編集したメール情報（ＳＭＴＰパケット）を順次送信する。
Ｓ２４：ＶＬＲにアクセスし、省電力中の着信履歴情報のリセット（履歴情報なし）を行なう。
【００２７】
図６は移動端末の電源オン、電源オフ維持時間算出と登録手順を示す図である。
Ｓ３０：以下の初期設定を行う。
ア．電源オン／電源オフ周期（Ｈｃｙｃ）、その変化量ΔＨｃｙｃ
イ．移動端末電池容量の最低電源オン維持時間（Ｈｍｉｎ）
Ｓ３１：移動端末の電池容量を測定し、残容量を算出し、待ち受け可能予測時間（Ｈａ）待ち受け可能予測時間（Ｈａ）＝最大待ち受け時間（Ｈｍａｘ）×残容量Ｒ（％）を算出する。
Ｓ３２：電池維持目標日時と現在日時から電池維持に必要な電池維持目標時間（Ｈｂ）を算出する。
Ｓ３３：Ｈａ＞Ｈｂか確認する。Ｈａ＞Ｈｂの場合は電池維持目標日時まで電源が維持されるので、Ｓ３４に進み通常モード状態を維持する。そうでない場合はＳ３５に進む。
Ｓ３４：通常モード状態を維持する。
Ｓ３５：端末電源オン維持時間（Ｈオン）＝（Ｈａ／Ｈｂ）×Ｈｃｙｃを算出する。
Ｓ３６：Ｈオン＜Ｈｍｉｎか確認する。Ｈオン＜Ｈｍｉｎの場合はＳ３７に進み、そうでない場合はＳ３９に進む。
Ｓ３７：電源オン・オフ周期の再設定（Ｈｃｙｃ＝Ｈｃｙｃ+ΔＨｃｙｃ）を行う。
Ｓ３８：端末電源オン維持時間（Ｈオン）＝（Ｈａ／Ｈｂ）×Ｈｃｙｃを算出する。
Ｓ３９：端末電源オフ維持時間（Ｈオフ）＝Ｈｃｙｃ−Ｈオンを算出する。
Ｓ４０：次回電源オン日時を算出（現在日時+端末電源オフ維持時間）し、例えば図１に示した電源制御部１７の電源復帰日時記憶部１７に登録する。
【００２８】
図７は加入者プロファイル情報例を示す図である。ＶＬＲに移動端末ユーザの情報をプロファイルとして保持する。ここでは、１人のユーザ例について示している。
ア．移動端末識別番号
移動端末ユーザの識別番号（電話番号）である。
イ．移動端末電力状態情報
移動端末ユーザが省電力モードに設定した移動端末の電源状態情報である。この例は省電力モードで電源オフの状態である。
ウ．復帰予定日時
移動端末ユーザが省電力モード時に設定した電池維持目標日時すなわち、省電力モードから通常モードに復帰する日時である。この例では２００７年１２月５日１５時００分に復帰する。
エ．省電力中の着信情報
省電力モード中の移動端末に着信した情報である。この例では着信件数は１０件で１０件の各着信情報の発信者識別番号と受信日時を示している。
【００２９】
図８は移動端末の電力モード画面と省電力モード画面例を示す図である。１）が電力モード画面、２）が省電力モード画面の例である。
１）電力モード画面
電源モードの設定変更を行なう画面である。現在の通常モードから省電力モードに切替を行なう場合は「省電力切替設定」により、省電力モード設定選択を確認し、「設定」することにより省電力モードに切り替わる。また、予め設定した電池残量より移動端末からの電池算容量の警告により省電力設定を行なう例を示している。
２）省電力モード画面
省電力モードに設定する画面である。「省電力設定」により前述した以下の所定の入力情報を入力し、入力内容を確認し「設定」することにより省電力モードが設定される。
ア．省電力モードでの電源オンあるいは電源オフ
イ．電池維持目標日時
図９は省電力モード設定への警告画面例を示す図である。
電池残量が所定の容量になった場合にユーザに省電力設定を促す。この例では残り４時間で電池切れ状態になる例を示している。「省電力設定」することにより図８の２）の省電力画面となり省電力モードが設定できる。
【００３０】
図１０は省電力モード設定の移動端末を有する移動体通信ネットワークの通信処理手順例（１／２）を示す図である。図１１は省電力モード設定の移動端末を有する移動体通信ネットワークの通信処理手順例（２／２）を示す図である。前述した省電力モード設定の移動端末を有する移動体通信ネットワークでの通信処理についての具体例を示している。なお、一連の処理は、以下の条件に基づいた一例を示している。
ア．ユーザは、省電力の切り替え警告時期を電池切れ４時間前に設定。
イ．２００７年１２月５日１２時００分にユーザの移動端末Ａは残容量低下を検出し、ユーザが省電力モードに切り替え。
ウ．ユーザは電池維持目標日時として、２００７年１２月５日２０時（８時間後)を設定。
エ．省電力モードの電源オフ中に、他者の相手移動端末Ｂが発信。
オ．電源オン・オフ繰り返し周期初期値（Ｈｃｙｃ）＝１時間、変化量（ΔＨｃｙｃ）＝１時間を設定。
カ．最低電源オン維持時間（Ｈｍｉｎ）＝１０分を設定。
【００３１】
上記の条件に基づいた処理の流れを２００７年１２月５日の時間の経過に併せて説明する。
１）１２時３０分
ア．移動端末Ａは計測した電池残量より電池残量が低下したと判断し、ユーザに省電力モードへの切替警告を行なう（Ｓ５０）。ユーザは電池維持したい電池維持目標日時を同日の２０時００分として切替設定を行う（Ｓ５１、Ｓ５２）。
イ．移動端末Ａは計測した電池残量より待ち受け可能予測時間（Ｈａ）＝４時間と設定された電池維持目標日時と現在時刻より電池維持目標時間（Ｈｂ）＝８時間を算出する。
ウ．端末電源オン維持時間（Ｈｍｉｎ）＝（Ｈａ／Ｈｂ）×Ｈｃｙｃ＝０．５時間（３０分）、端末電源オフ維持時間（Ｈｂ）＝Ｈｃｙｃ−Ｈａ＝０．５時間（３０分）を算出する。これより次の端末電源復帰予定日時は１２時００分+３０分＝１２時３０分を算出する。
エ．移動端末Ａは移動通信制御局１に移動端末Ａの端末省電力状態（省電力設定、電源オフ）と端末復帰予定日時１２時３０分を通知する（Ｓ５３）。
オ．移動通信制御局１はＶＬＲに端末省電力状態変化通知として、端末省電力状態（省電力設定、電源オフ）と端末復帰予定日時１２時３０分を通知する（Ｓ５４）。
カ．移動端末ａの電源がオフとなる。
２）１２時００分〜１２時３０分
ア．この時間帯に移動端末Ｂのユーザが移動端末Ａに発信すると、通信が出来ないので移動通信制御局２は移動通信制御局１に着信情報の問い合わせを行ない、端末移動端末Ａが省電力モードの電源オフ状態である情報を取得する（Ｓ５５、Ｓ５６）。
イ．移動通信制御局１は、移動端末Ａの電源状態が省電力モードの電源オフであるか確認し、電源がオンであれば通常接続処理を行い、電源がオフの場合は次に処理を行なう（Ｓ５７）。
ウ．移動通信制御局１は、ＶＬＲに移動端末Ｂからの着信件数１とその移動端末識別番号と着信日時の着信履歴を登録する（Ｓ５８）。
ウ．移動通信制御局１は移動通信制御局２に移動端末Ａが省電力モードの電源オフ、電源オン復帰時間が１２時３０分であることを通知し、移動通信制御局２は移動端末Ｂにアナウンスを行なう（Ｓ５９、Ｓ６０）。
３）１２時３０分
ア．移動端末Ａの電源が復帰し、電源オンとなると、移動端末Ａは移動通信制御局１に電源オンの端末省電力状態変化通知を行なう（Ｓ６１）。
イ．移動通信制御局１はＶＬＲに端末省電力モードの電源オン復帰の端末省電力状態登録を行なう（Ｓ６２）。
ウ．移動通信制御局１はＶＬＲより省電力中の着信情報として、移動端末Ｂからの着信履歴件数１を取得し、移動端末Ｂに通話可能メール通知、移動端末Ａに着信履歴通知メールを通知する。（Ｓ６３、Ｓ６４、Ｓ６５）。
エ．移動通信制御局１はＶＬＲの省電力中着信情報を更新（移動端末Ｂからの着信履歴の削除）する（Ｓ６６）。
４）１３時００分
ア．移動端末の電池残量より待ち受け可能予測時間Ｈａ＝３時間（ここでは、１２時時点の待ち受け可能予測時間４時間とその後の電池消費も踏まえ３時間とする。）設定された電池維持目標日時と現在時刻より電池維持目標時間Ｈｂ＝７時間（１時間後の７時間）を算出する。
イ．端末電源オン維持時間（Ｈｍｉｎ）＝Ｈａ／Ｈｂ＝３／７×１＝０．４２時間（２５分）、端末電源オフ維持時間（Ｈｂ）＝Ｈｃｙｃ−Ｈａ＝３５分を算出する。これより次の端末電源復帰予定日時の１３時００分+３５分＝１３時３５分を算出する。
ウ．移動端末Ａは移動通信制御局１に移動端末Ａの端末省電力状態（省電力設定、電源オフ）と端末復帰予定日時１３時３５分を通知する（Ｓ６７）。
エ．移動通信制御局１はＶＬＲに端末省電力状態変化通知として、端末省電力状態（省電力設定、電源オフ）と端末復帰予定日時１３時３５分を通知する（Ｓ６８）。
オ．移動端末Ａの電源がオフとなる。
【００３２】
図１０、図１１の例では、電源オン維持時間Ｈａが最低電源オン維持時間Ｈｍｉｎより大きい場合について説明したが、ＨａがＨｍｉｎより小さくなった場合について説明する。
【００３３】
例として１２時００分の時点における電池残量より待ち受け可能予測時間（Ｈａ）＝１時間の場合を考える。
５）１２時００分
ア．移動端末の待ち受け可能予測時間（Ｈａ）＝１時間と電池維持目標日時より電池維持目標時間（Ｈｂ）＝８時間を算出する。
イ．端末電源オン維持時間（Ｈオン）＝（Ｈａ／Ｈｂ）×Ｈｃｙｃ＝１／８×１＝０．１２５時間（７．５分）を算出する。
ウ．Ｈオン（７．５分）は最低電源オン時間（１０分）より小さいので、電源オン・オフ周期（Ｈｃｙｃ）＝Ｈｃｙｃ＋ΔＨｃｙｃ＝２時間として、電源オン維持時間（Ｈオン）＝１／８×２＝０．２５時間（１５分）を算出する。端末電源オフ維持時間（Ｈｂ）＝Ｈｃｙｃ−Ｈａ＝Ｈｃｙｃ−Ｈａ＝１．７５時間（１０５分）を算出する。これより次の端末電源復帰予定日時は１２時００分+１０５分＝１３時４５分を算出する。
エ．移動端末Ａは移動通信制御局１に移動端末Ａの端末省電力状態（省電力設定、電源オフ）と端末復帰予定日時１３時４５分を通知する。
カ．移動通信制御局１はＶＬＲに端末省電力状態変化通知として、端末省電力状態（省電力設定、電源オフ）と端末復帰予定日時１３時４５分を通知する。
【００３４】
以下説明は省略する。
【００３５】
図１２は本発明の一実施形態による形態移動端末の省電力効果例を示す図である。１）に電源状態、２）に電池容量変化を示している。
１）の電源状態に示す「ａ」の時点で省電力モードに設定後、以後は電源オンと電源オフの間欠的の繰り返しにより電池の消耗を防ぎ、また、電源オンの状態であっても省電力設定中により、基地局間との位置確認の通信を実行しないため、電池の消耗を防ぐことができる。２）に示すように電池の残量時間の引き延ばしが可能となる。
【図面の簡単な説明】
【００３６】
【図１】図１は移動端末のブロック構成を示す図である。
【図２】図２は省電力モードに設定された移動端末を有する移動体通信システムの通信処理基本手順を示す図である。
【図３】図３は着信側移動通信制御局の着信履歴登録手順を示す図である。
【図４】図４は発信側移動通信制御局のアナウンス処理手順の一例を示す図である。
【図５】図５は着信側移動端末の電源復帰を通知する一例である。
【図６】図６は移動端末の電源オン、電源オフ維持時間算出と登録手順を示す図である。
【図７】図７は加入者プロファイル情報例を示す図である。
【図８】図８は電力モード画面と省電力モード画面例を示す図である。
【図９】図９は省電力モード設定への警告画面例を示す図である。
【図１０】図１０は省電力モード設定の移動端末を有する移動体通信ネットワークの通信処理手順例（１／２）を示す図である。
【図１１】図１１は省電力モード設定の移動端末を有する移動体通信ネットワークの通信処理手順例（２／２）を示す図である。
【図１２】図１２は本発明の一実施形態による移動端末の省電力効果例を示す図である。
【図１３】図１３は移動端末の電池容量と電源状態を示す図である。
【符号の説明】
【００３７】
１    移動端末
２    主回路部
３    アンテナ
４    送話機
５    受話機
６    表示器
７    ＬＥＤランプ
８    入力キー
９    時計
１０  電池
１１  電源制御部
１２  送受信部
１３  音声信号処理部
１４  制御部
１５  省電力制御部
１６  電池残量測定部
１７  電源復帰日時記憶部
【図１】
2009239448.tif 000003
【図２】
2009239448.tif 000004
【図３】
2009239448.tif 000005
【図４】
2009239448.tif 000006
【図５】
2009239448.tif 000007
【図６】
2009239448.tif 000008
【図７】
2009239448.tif 000009
【図８】
2009239448.tif 000010
【図９】
2009239448.tif 000011
【図１０】
2009239448.tif 000012
【図１１】
2009239448.tif 000013
【図１２】
2009239448.tif 000014
【図１３】
2009239448.tif 000015